【手続補正書】
【提出日】平成29年6月6日(2017.6.6)
【手続補正１】
【補正対象書類名】特許請求の範囲
【補正対象項目名】全文
【補正方法】変更
【補正の内容】
【特許請求の範囲】
【請求項１】
第１のアクセスポイントに関連付けられた局において前記第１のアクセスポイントからネイバークエリ要求を受信することと、
第２のアクセスポイントのネイバー報告を前記局にワイヤレスに通信することを前記第２のアクセスポイントに求めるネイバー報告要求を含むパブリックアクションフレームを生成することと、ここにおいて、前記パブリックアクションフレームが、ベンダー固有のパブリックアクションフレームを備える、
前記ネイバークエリ要求に応答して、前記ネイバー報告要求をワイヤレスに通信することと、
前記ベンダー固有のパブリックアクションフレームに応答して前記第２のアクセスポイントからメッセージを受信することと、ここにおいて、前記第２のアクセスポイントと前記局とが異なるベンダーからのものである場合、アサートされた不適格フラグまたはアサートされた拒否フラグを前記メッセージが含む、
前記局が前記第２のアクセスポイントに関連付けられていない間に、前記局から前記第１のアクセスポイントに前記ネイバー報告をワイヤレスに通信することと
を備える、方法。
【請求項２】
前記第１のアクセスポイントからビーコン報告要求フレームを受信することと、前記ビーコン報告要求フレーム中に含まれるショートネイバー報告（ＳＮＲ）要素識別子（ＩＤ）を検出することとをさらに備え、前記ネイバークエリ要求が、前記ＳＮＲ要素ＩＤによって示され、前記ＳＮＲ要素ＩＤが、前記ビーコン報告要求フレームの測定フィールド中に含まれる、請求項１に記載の方法。
【請求項３】
前記ネイバークエリ要求に応答して、前記第２のアクセスポイントから前記ネイバー報告を取得するために通信チャネルを走査することをさらに備える、請求項１に記載の方法。
【請求項４】
前記通信チャネルを使用して前記第２のアクセスポイントによってワイヤレスに通信される、ビーコンメッセージ、プローブ応答メッセージ、または高速初期リンクセットアップ（ＦＩＬＳ）発見フレームのうちの少なくとも１つを受信することをさらに備える、請求項３に記載の方法。
【請求項５】
前記ネイバークエリ要求に応答して、メモリから記憶されたネイバー報告を取り出すことをさらに備え、前記記憶されたネイバー報告が、前記第２のアクセスポイントの前記ネイバー報告を備える、請求項１に記載の方法。
【請求項６】
ビーコンメッセージ、プローブ応答メッセージ、または高速初期リンクセットアップ（ＦＩＬＳ）発見フレーム中で前記第２のアクセスポイントから前記ネイバー報告を受信することをさらに備える、請求項１に記載の方法。
【請求項７】
前記ネイバー報告が、前記局によって受信されたパブリックアクションフレーム中に含まれる、請求項６に記載の方法。
【請求項８】
前記パブリックアクションフレームが、ベンダー固有のパブリックアクションフレームを備える、請求項７に記載の方法。
【請求項９】
プロセッサと、
前記プロセッサによってアクセス可能なメモリであって、
第１のアクセスポイントに関連付けられた局において前記第１のアクセスポイントからネイバークエリ要求を受信することと、
第２のアクセスポイントのネイバー報告を前記局にワイヤレスに通信することを前記第２のアクセスポイントに求めるネイバー報告要求を含むパブリックアクションフレームを生成することと、ここにおいて、前記パブリックアクションフレームが、ベンダー固有のパブリックアクションフレームを備える、
前記ネイバークエリ要求に応答して、ワイヤレスに通信されるべき前記ネイバー報告要求を開始することと、
前記ベンダー固有のパブリックアクションフレームに応答して前記第２のアクセスポイントからメッセージを受信することと、ここにおいて、前記第２のアクセスポイントと前記局とが異なるベンダーからのものである場合、アサートされた不適格フラグまたはアサートされた拒否フラグを前記メッセージが含む、
前記局が前記第２のアクセスポイントに関連付けられていない間に、前記局から前記第１のアクセスポイントにワイヤレスに通信されるべき前記ネイバー報告を開始することと
を行うように前記プロセッサによって実行可能な命令を備えるメモリと
を備える、装置。
【請求項１０】
前記第２のアクセスポイントの前記ネイバー報告が、電気電子技術者協会（ＩＥＥＥ）８０２．１１ａｉ規格、ＩＥＥＥ８０２．１１ｋ規格、またはそれらの組合せに準拠している、請求項９に記載の装置。
【請求項１１】
前記第２のアクセスポイントからの前記ネイバー報告が、電気電子技術者協会（ＩＥＥＥ）８０２．１１ａｉ規格に準拠しているショートネイバー報告（ＳＮＲ）情報要素（ＩＥ）を備えるか、またはＩＥＥＥ８０２．１１ｋ規格に準拠しているビーコン報告を備える、請求項９に記載の装置。
【請求項１２】
前記ネイバークエリ要求に応答して前記第１のアクセスポイントに前記第２のアクセスポイントの前記ネイバー報告をワイヤレスに通信するように構成されたトランシーバをさらに備え、前記第２のアクセスポイントに関連付けられていない前記局が、前記第２のアクセスポイントに関して未認証状態にある、請求項９に記載の装置。
【請求項１３】
前記第１のアクセスポイントからビーコン報告要求フレームを受信するように構成されたトランシーバをさらに備え、前記ビーコン報告要求フレームが、前記ネイバークエリ要求を含む、請求項９に記載の装置。
【請求項１４】
前記ネイバークエリ要求が、ベンダー指定のフィールドまたは前記ビーコン報告要求フレームの予約済みフィールド中に含まれる、請求項１３に記載の装置。
【請求項１５】
前記ネイバークエリ要求が、ショートネイバー報告（ＳＮＲ）要素識別子（ＩＤ）によって示され、前記ＳＮＲ要素ＩＤが、前記ビーコン報告要求フレームの測定フィールド中に含まれる、請求項１３に記載の装置。
【請求項１６】
前記ビーコン報告要求フレームが、電気電子技術者協会（ＩＥＥＥ）８０２．１１ｋ規格に準拠している、請求項１３に記載の装置。
【請求項１７】
前記命令が、さらに、
前記第１のアクセスポイントから受信された前記ビーコン報告要求フレームに応答してビーコン報告を生成することと、
前記第１のアクセスポイントに前記ビーコン報告をワイヤレスに通信することと、ここにおいて、前記ビーコン報告が、前記第２のアクセスポイントの前記ネイバー報告を備える、
を行うように前記プロセッサによって実行可能である、請求項１３に記載の装置。
【請求項１８】
前記第１のアクセスポイントが、前記第１のアクセスポイントの第１のネイバー報告によって識別された特定のアクセスポイントを識別するように構成され、前記特定のアクセスポイントが、前記ビーコン報告に基づいて前記第１のアクセスポイントによって識別される、請求項１７に記載の装置。
【請求項１９】
非一時的コンピュータ可読媒体であって、
プロセッサによって実行されたときに、
第１のアクセスポイントに関連付けられた局において前記第１のアクセスポイントからネイバークエリ要求を受信することと、
第２のアクセスポイントのネイバー報告を前記局にワイヤレスに通信することを前記第２のアクセスポイントに求めるネイバー報告要求を含むパブリックアクションフレームを生成することと、ここにおいて、前記パブリックアクションフレームが、ベンダー固有のパブリックアクションフレームを備える、
前記ネイバークエリ要求に応答して、ワイヤレスに通信されるべき前記ネイバー報告要求を開始することと、
前記ベンダー固有のパブリックアクションフレームに応答して前記第２のアクセスポイントからメッセージを受信することと、ここにおいて、前記第２のアクセスポイントと前記局とが異なるベンダーからのものである場合、アサートされた不適格フラグまたはアサートされた拒否フラグを前記メッセージが含む、
前記局が前記第２のアクセスポイントに関連付けられていない間に、前記局から前記第１のアクセスポイントにワイヤレスに通信されるべき前記ネイバー報告を開始することと
を前記プロセッサに行わせる命令を備える、非一時的コンピュータ可読媒体。
【請求項２０】
前記ネイバークエリ要求が、前記第２のアクセスポイントにネイバー報告要求をワイヤレスに通信することを前記局に行わせる情報、前記第２のアクセスポイントから前記ネイバー報告を受信するために通信チャネルを走査することを前記局に行わせる情報、またはそれらの組合せを含む、請求項１９に記載の非一時的コンピュータ可読媒体。
【請求項２１】
前記第１のアクセスポイントが、第１のネイバー報告を含み、前記第１のネイバー報告が、電気電子技術者協会（ＩＥＥＥ）８０２．１１ａｉ規格に準拠し、前記ネイバー報告要求が、前記局に前記第２のアクセスポイントの第２のネイバー報告をワイヤレスに通信することを前記第２のアクセスポイントに行わせる第２の情報を含む、請求項２０に記載の非一時的コンピュータ可読媒体。
【請求項２２】
第１のアクセスポイントに関連付けられた局において前記第１のアクセスポイントからネイバークエリ要求を受信するための手段と、
第２のアクセスポイントのネイバー報告を前記局にワイヤレスに通信することを前記第２のアクセスポイントに求めるネイバー報告要求を含むパブリックアクションフレームを生成するための手段と、ここにおいて、前記パブリックアクションフレームが、ベンダー固有のパブリックアクションフレームを備える、
前記ネイバークエリ要求に応答して、前記ネイバー報告要求をワイヤレスに通信するための手段と、
前記ベンダー固有のパブリックアクションフレームに応答して前記第２のアクセスポイントからメッセージを受信するための手段と、ここにおいて、前記第２のアクセスポイントと前記局とが異なるベンダーからのものである場合である、
前記局が前記第２のアクセスポイントに関連付けられていない間に、前記局から前記第１のアクセスポイントに前記ネイバー報告をワイヤレスに通信するための手段と
を備える、装置。
【請求項２３】
前記ネイバークエリ要求が、前記局のメモリに記憶された第２のネイバー報告をワイヤレスに通信することを前記局に行わせる情報を含み、前記記憶された第２のネイバー報告が、前記局によって受信されたビーコン、前記局によって受信された応答、前記局によって受信された高速初期リンクセットアップ（ＦＩＬＳ）発見フレーム、またはそれらの任意の組合せに基づく、請求項２２に記載の装置。
【請求項２４】
前記第１のアクセスポイントと、前記第２のアクセスポイントと、前記局とのうちの少なくとも２つが、同じベンダーによって製造されるか、同じベンダーによって流通されるか、または同じベンダーによって提供されるソフトウェアに従って動作する、請求項２２に記載の装置。
【請求項２５】
前記ネイバー報告が、電気電子技術者協会（ＩＥＥＥ）８０２．１１ｋ規格に準拠している、請求項２４に記載の装置。
【請求項２６】
前記第２のアクセスポイントが、隣接アクセスポイントから受信されたネイバー報告、前記第２のアクセスポイントに関連付けられた特定の局から受信されたビーコン報告、またはそれらの組合せに基づいてアクセスポイントを識別するために前記第２のアクセスポイントの前記ネイバー報告を生成するように構成された、請求項２２に記載の装置。
【請求項２７】
前記局において第３のアクセスポイントから第２のネイバークエリ要求を受信することと、
前記第２のネイバークエリ要求に応答して、第２のネイバー報告要求を含む第２のベンダー固有のパブリックアクションフレームをワイヤレスに通信することと、
前記第２のベンダー固有のパブリックアクションフレームに応答して、第４のアクセスポイントから第２のメッセージを受信することと、ここにおいて、前記第２のメッセージは、アサートされた不適格フラグまたはアサートされた拒否フラグを前記第２のメッセージが含むことに基づいて、前記第４のアクセスポイントと前記局とが異なるベンダーからのものであることを示す、
をさらに備える、請求項１に記載の方法。
【請求項２８】
前記ベンダー固有のパブリックアクションフレームに応答して第３のアクセスポイントから第２のメッセージを受信することをさらに備え、ここにおいて、前記第２のメッセージは、前記アサートされた不適格フラグまたは前記アサートされた拒否フラグを前記第２のメッセージが含むことに基づいて、前記第３のアクセスポイントと前記局とが異なるベンダーからのものであることを示す、請求項１に記載の方法。
【請求項２９】
ワイヤレスインターフェースと、
前記ワイヤレスインターフェースを介して前記プロセッサに結合されたアンテナと、
をさらに備え、ここにおいて、前記メモリ、前記プロセッサ、前記ワイヤレスインターフェース、および前記アンテナは、モバイル通信デバイスに組み込まれる、
請求項９に記載の装置。
【請求項３０】
前記ネイバークエリ要求を受信するための前記手段、生成するための前記手段、前記ネイバー報告要求をワイヤレスに通信するための前記手段、前記メッセージを受信するための前記手段、前記ネイバー報告をワイヤレスに通信するための前記手段は、モバイル通信デバイスに組み込まれる、請求項２２に記載の装置。
【手続補正２】
【補正対象書類名】明細書
【補正対象項目名】００８９
【補正方法】変更
【補正の内容】
【００８９】
[0094]開示された態様の上記の説明は、当業者が開示された態様を製作または使用することを可能にするために提供されている。これらの態様への様々な修正が当業者には容易に明らかになり、本明細書で定義された原理が、本開示の範囲から逸脱することなく他の態様に適用され得る。したがって、本開示は、本明細書に示された態様に限定されることを意図されておらず、以下の特許請求の範囲によって定義される原理および新規な特徴と一致する可能な最も広い範囲を与えられるべきである。
以下に本願の出願当初の特許請求の範囲に記載された発明を付記する。
[Ｃ１]  第１のアクセスポイントに関連付けられた局において前記第１のアクセスポイントからネイバークエリ要求を受信することと、
前記局が第２のアクセスポイントに関連付けられていない間に、前記局から前記第１のアクセスポイントに前記第２のアクセスポイントのネイバー報告をワイヤレスに通信することと
を備える、方法。
[Ｃ２]  前記第１のアクセスポイントからビーコン報告要求フレームを受信することと、前記ビーコン報告要求フレーム中に含まれるショートネイバー報告（ＳＮＲ）要素識別子（ＩＤ）を検出することとをさらに備え、前記ネイバークエリ要求が、前記ＳＮＲ要素ＩＤによって示され、前記ＳＮＲ要素ＩＤが、前記ビーコン報告要求フレームの測定フィールド中に含まれる、Ｃ１に記載の方法。
[Ｃ３]  前記ネイバークエリ要求に応答して、前記第２のアクセスポイントから前記ネイバー報告を取得するために通信チャネルを走査することをさらに備える、Ｃ１に記載の方法。
[Ｃ４]  前記通信チャネルを使用して前記第２のアクセスポイントによってワイヤレスに通信される、ビーコンメッセージ、プローブ応答メッセージ、または高速初期リンクセットアップ（ＦＩＬＳ）発見フレームのうちの少なくとも１つを受信することをさらに備える、Ｃ３に記載の方法。
[Ｃ５]  前記ネイバークエリ要求に応答して、メモリから記憶されたネイバー報告を取り出すことをさらに備え、前記記憶されたネイバー報告が、前記第２のアクセスポイントの前記ネイバー報告を備える、Ｃ１に記載の方法。
[Ｃ６]  前記ネイバークエリ要求に応答して、前記第２のアクセスポイントから前記局に前記ネイバー報告をワイヤレスに通信することを前記第２のアクセスポイントに行わせるネイバー報告要求をワイヤレスに通信することをさらに備える、Ｃ１に記載の方法。
[Ｃ７]  前記ネイバー報告要求を含むパブリックアクションフレームを生成することをさらに備える、Ｃ６に記載の方法。
[Ｃ８]  前記パブリックアクションフレームが、ベンダー固有のパブリックアクションフレームを備える、Ｃ７に記載の方法。
[Ｃ９]  前記ベンダー固有のパブリックアクションフレームに応答して前記第２のアクセスポイントからメッセージを受信することをさらに備え、前記第２のアクセスポイントと前記局とが異なるベンダーからのものである場合、前記メッセージがアサートされた不適格フラグまたはアサートされた拒否フラグを含む、Ｃ８に記載の方法。
[Ｃ１０]  ビーコンメッセージ、プローブ応答メッセージ、または高速初期リンクセットアップ（ＦＩＬＳ）発見フレーム中で前記第２のアクセスポイントから前記ネイバー報告を受信することをさらに備える、Ｃ１に記載の方法。
[Ｃ１１]  前記ネイバー報告が、前記局によって受信されたパブリックアクションフレーム中に含まれる、Ｃ１０に記載の方法。
[Ｃ１２]  前記パブリックアクションフレームが、ベンダー固有のパブリックアクションフレームを備える、Ｃ１１に記載の方法。
[Ｃ１３]  プロセッサと、
前記プロセッサによってアクセス可能なメモリであって、
第１のアクセスポイントに関連付けられた局において前記第１のアクセスポイントからネイバークエリ要求を受信することと、
前記局が第２のアクセスポイントに関連付けられていない間に、前記局から前記第１のアクセスポイントにワイヤレスに通信されるべき前記第２のアクセスポイントのネイバー報告を開始することと
を行うように前記プロセッサによって実行可能な命令を備えるメモリと
を備える、装置。
[Ｃ１４]  前記第２のアクセスポイントの前記ネイバー報告が、電気電子技術者協会（ＩＥＥＥ）８０２．１１ａｉ規格、ＩＥＥＥ８０２．１１ｋ規格、またはそれらの組合せに準拠している、Ｃ１３に記載の装置。
[Ｃ１５]  前記第２のアクセスポイントからの前記ネイバー報告が、電気電子技術者協会（ＩＥＥＥ）８０２．１１ａｉ規格に準拠しているショートネイバー報告（ＳＮＲ）情報要素（ＩＥ）を備えるか、またはＩＥＥＥ８０２．１１ｋ規格に準拠しているビーコン報告を備える、Ｃ１３に記載の装置。
[Ｃ１６]  前記ネイバークエリ要求に応答して前記第１のアクセスポイントに前記第２のアクセスポイントの前記ネイバー報告をワイヤレスに通信するように構成されたトランシーバをさらに備え、前記第２のアクセスポイントに関連付けられていない前記局が、前記第２のアクセスポイントに関して未認証状態にある、Ｃ１３に記載の装置。
[Ｃ１７]  前記第１のアクセスポイントからビーコン報告要求フレームを受信するように構成されたトランシーバをさらに備え、前記ビーコン報告要求フレームが、前記ネイバークエリ要求を含む、Ｃ１３に記載の装置。
[Ｃ１８]  前記ネイバークエリ要求が、ベンダー指定のフィールドまたは前記ビーコン報告要求フレームの予約済みフィールド中に含まれる、Ｃ１７に記載の装置。
[Ｃ１９]  前記ネイバークエリ要求が、ショートネイバー報告（ＳＮＲ）要素識別子（ＩＤ）によって示され、前記ＳＮＲ要素ＩＤが、前記ビーコン報告要求フレームの測定フィールド中に含まれる、Ｃ１７に記載の装置。
[Ｃ２０]  前記ビーコン報告要求フレームが、電気電子技術者協会（ＩＥＥＥ）８０２．１１ｋ規格に準拠している、Ｃ１７に記載の装置。
[Ｃ２１]  前記命令が、さらに、
前記第１のアクセスポイントから受信された前記ビーコン報告要求フレームに応答してビーコン報告を生成することと、
前記第１のアクセスポイントに前記ビーコン報告をワイヤレスに通信することと、ここにおいて、前記ビーコン報告が、前記第２のアクセスポイントの前記ネイバー報告を備える、
を行うように前記プロセッサによって実行可能である、Ｃ１７に記載の装置。
[Ｃ２２]  前記第１のアクセスポイントが、前記第１のアクセスポイントの第１のネイバー報告によって識別された特定のアクセスポイントを識別するように構成され、前記特定のアクセスポイントが、前記ビーコン報告に基づいて前記第１のアクセスポイントによって識別される、Ｃ２１に記載の装置。
[Ｃ２３]  非一時的コンピュータ可読媒体であって、
プロセッサによって実行されたときに、
第１のアクセスポイントに関連付けられた局において前記第１のアクセスポイントからネイバークエリ要求を受信することと、
前記局が第２のアクセスポイントに関連付けられていない間に、前記局から前記第１のアクセスポイントにワイヤレスに通信されるべき前記第２のアクセスポイントのネイバー報告を開始することと
を前記プロセッサに行わせる命令を備える、非一時的コンピュータ可読媒体。
[Ｃ２４]  前記ネイバークエリ要求が、前記第２のアクセスポイントにネイバー報告要求をワイヤレスに通信することを前記局に行わせる情報、前記第２のアクセスポイントから前記ネイバー報告を受信するために通信チャネルを走査することを前記局に行わせる情報、またはそれらの組合せを含む、Ｃ２３に記載の非一時的コンピュータ可読媒体。
[Ｃ２５]  前記第１のアクセスポイントが、第１のネイバー報告を含み、前記第１のネイバー報告が、電気電子技術者協会（ＩＥＥＥ）８０２．１１ａｉ規格に準拠し、前記ネイバー報告要求が、前記局に前記第２のアクセスポイントの第２のネイバー報告をワイヤレスに通信することを前記第２のアクセスポイントに行わせる第２の情報を含む、Ｃ２４に記載の非一時的コンピュータ可読媒体。
[Ｃ２６]  第１のアクセスポイントに関連付けられた局において前記第１のアクセスポイントからネイバークエリ要求を受信するための手段と、
前記局が第２のアクセスポイントに関連付けられていない間に、前記局から前記第１のアクセスポイントに前記第２のアクセスポイントのネイバー報告をワイヤレスに通信するための手段と
を備える、装置。
[Ｃ２７]  前記ネイバークエリ要求が、前記局のメモリに記憶されたネイバー報告をワイヤレスに通信することを前記局に行わせる情報を含み、前記記憶されたネイバー報告が、前記局によって受信されたビーコン、前記局によって受信された応答、前記局によって受信された高速初期リンクセットアップ（ＦＩＬＳ）発見フレーム、またはそれらの任意の組合せに基づく、Ｃ２６に記載の装置。
[Ｃ２８]  前記第１のアクセスポイントと、前記第２のアクセスポイントと、前記局とのうちの少なくとも２つが、同じベンダーによって製造されるか、同じベンダーによって流通されるか、または同じベンダーによって提供されるソフトウェアに従って動作する、Ｃ２６に記載の装置。
[Ｃ２９]  前記ネイバー報告が、電気電子技術者協会（ＩＥＥＥ）８０２．１１ｋ規格に準拠している、Ｃ２８に記載の装置。
[Ｃ３０]  前記第２のアクセスポイントが、隣接アクセスポイントから受信されたネイバー報告、前記第２のアクセスポイントに関連付けられた特定の局から受信されたビーコン報告、またはそれらの組合せに基づいてアクセスポイントを識別するために前記第２のアクセスポイントの前記ネイバー報告を生成するように構成された、Ｃ２６に記載の装置。